【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
原稿が載置されるトレイと、
前記トレイに載置された原稿を読取位置に搬送する搬送手段と、
前記搬送手段を駆動するモータと、
前記読取位置を通過する前記原稿を読み取るセンサと、
前記センサが前記原稿を読み取る読取間隔を制御するクロック信号を生成する生成手段と、
前記搬送手段によって搬送される前記原稿のサイズを決定するサイズ決定手段と、
前記センサが前記原稿を読み始める前に、前記原稿の読取解像度が確定した場合、前記確定した読取解像度に応じて前記モータの回転速度および前記クロック信号の周期を制御し、前記センサが前記原稿を読み始める前に、前記原稿の読取解像度が確定しない場合、前記原稿の幅に応じた複数の読取解像度のうちで最大の解像度に応じて前記クロック信号の周期を制御するとともに、前記サイズ決定手段により決定された前記原稿のサイズに応じた読取解像度で前記モータの回転速度を制御する制御手段と
を有することを特徴とする読取装置。
【請求項２】
前記センサにより読み取られた前記原稿の画像データを記憶する画像記憶手段と、
前記画像記憶手段に記憶されている前記画像データを出力倍率に従って画像形成手段に出力する出力手段と、をさらに有し、
前記制御手段は、前記センサが前記原稿を読み取る前に前記原稿の読取解像度が確定した場合は、前記クロック信号の周期と前記モータの回転速度とに応じた原稿の入力倍率と前記原稿の読取解像度に対応した出力倍率とを一致させ、前記センサが前記原稿を読み取る前に前記原稿の読取解像度が確定しない場合、前記センサが対応可能な複数の入力倍率のうち前記最大の解像度に対応した入力倍率で前記センサに前記原稿を読み取らせ、前記センサが前記原稿を読み取っている間に前記原稿の読取解像度が確定すると、当該確定した読取解像度に対応した出力倍率で前記出力手段に前記原稿の画像データを出力させる
ことを特徴とする請求項１に記載の読取装置。
【請求項３】
前記搬送手段により搬送される前記原稿の幅を検知する幅検知手段と、
前記幅検知手段により検知された幅に基づき前記原稿の推定サイズを決定する推定手段と、
前記画像形成手段により前記原稿の画像が形成されるシートのサイズと前記原稿の推定サイズとに応じて前記原稿の入力倍率を決定する入力倍率決定手段と、
前記搬送手段により搬送される前記原稿の長さを検知する長さ検知手段と、
前記幅検知手段により検知された幅と前記長さ検知手段により検知された前記原稿の長さに応じて前記原稿の実サイズを決定するサイズ決定手段と、
前記実サイズに応じて前記出力倍率を決定する出力倍率決定手段と、
を有することを特徴とする請求項２に記載の読取装置。
【請求項４】
前記トレイに載置された複数の原稿の幅のうちで最大の幅を測定する測定手段をさらに有し、
前記推定手段は、前記幅検知手段により検知された幅と前記測定手段により測定された幅との組み合わせに応じて前記推定サイズを示す幅グループを特定し、
前記サイズ決定手段は、前記推定手段により特定された幅グループに属する複数の原稿サイズのうち、前記長さ検知手段により検知された前記原稿の長さに応じた原稿サイズを前記実サイズに決定することを特徴とする請求項３に記載の読取装置。
【請求項５】
前記センサが前記原稿を読み取る前に前記原稿の読取解像度が確定している場合は前記原稿の入力倍率は前記原稿の出力倍率と一致し、
前記センサが前記原稿を読み取る前に前記原稿の読取解像度が確定していない場合、前記センサが対応可能な複数の入力倍率のうち最大の入力倍率で前記センサが前記原稿を読み取っておき、前記出力手段は、前記原稿の読取解像度が確定すると、当該確定した読取解像度に対応した出力倍率で前記原稿の画像データを出力する
ことを特徴とする請求項３または４に記載の読取装置。
【請求項６】
前記出力手段は、前記確定した読取解像度に対応した出力倍率が前記入力倍率よりも小さければ、前記画像データを間引きながら出力することを特徴とする請求項５に記載の読取装置。
【請求項７】
前記制御手段は、
前記センサが前記原稿を読み取る前に前記原稿の読取解像度が確定している場合、当該読取解像度に対応した出力倍率を実現可能な原稿の搬送速度と前記クロック信号の周期との複数の組み合わせのうちで、前記原稿の読取に関するスループットが最大となる組み合わせで前記モータと前記生成手段とを制御し、
前記センサが前記原稿を読み取る前に前記原稿の読取解像度が確定してない場合、前記最大の入力倍率を実現する前記搬送速度と前記クロック信号の周期との組み合わせで前記モータと前記生成手段とを制御することを特徴とする請求項６に記載の読取装置。
【請求項８】
前記入力倍率、前記出力倍率、前記搬送速度、前記クロック信号の周期、前記画像記憶手段に入力される画像データの間引きの設定、前記画像記憶手段から出力される画像データの間引きの設定との組み合わせを保持する複数のテーブルを記憶するテーブル記憶手段をさらに有し、
前記制御手段は、前記センサが前記原稿を読み取る前に前記原稿の読取解像度が確定しているかどうかに応じて、前記複数のテーブルから一つのテーブルを選択することを特徴とする請求項７に記載の読取装置。
【請求項９】
前記クロック信号の周期は読取ジョブごとに変更可能な制御パラメータであり、
前記原稿の搬送速度は、読取ジョブ内の原稿ごとに変更可能な制御パラメータであることを特徴とする請求項７または８に記載の読取装置。
【請求項１０】
前記トレイにサイズの異なる複数の原稿が載置され、かつ、前記シートに対する前記複数の原稿の変倍率が操作者により指定されている場合に、前記センサが前記原稿を読み取る前に前記原稿の読取解像度が確定し、
前記トレイにサイズの異なる複数の原稿が載置され、かつ、前記シートに対する前記複数の原稿の変倍率が操作者により指定されない場合に、前記センサが前記原稿を読み取る前に前記原稿の読取解像度が確定しない
ことを特徴とする請求項７ないし９のいずれか一項に記載の読取装置。
【請求項１１】
前記シートに対する前記原稿の変倍率が操作者により指定されている場合に、前記センサが前記原稿を読み取る前に前記原稿の読取解像度が確定し、
前記トレイにサイズの異なる複数の原稿が載置される混載機能が設定され、かつ、前記シートに対する前記複数の原稿の変倍率が前記実サイズと前記シートのサイズとに従って決定されるオート変倍機能が設定されている場合に、前記センサが前記原稿を読み取る前に前記原稿の読取解像度が確定しない
ことを特徴とする請求項７ないし９のいずれか一項に記載の読取装置。
【請求項１２】
前記画像形成手段は、前記出力手段から出力された前記画像データを変倍する変倍手段を有し、
前記出力倍率と前記変倍手段の変倍率との組み合わせにより、前記原稿の画像が前記シートに収められることを特徴とする請求項１０または１１に記載の読取装置。
【請求項１３】
前記制御手段は、前記センサが前記原稿を白黒読みモードで読み取るか、前記原稿をカラー読みモードで読み取るかに応じて前記クロック信号の周期を変更することを特徴とする請求項７ないし１２のいずれか一項に記載の読取装置。
【請求項１４】
原稿が載置されるトレイと、
前記トレイに載置された原稿を読取位置に搬送する搬送手段と、
前記搬送手段を駆動するモータと、
前記読取位置を通過する前記原稿を読み取るセンサと、
前記センサが前記原稿を読み取る読取間隔を制御するクロック信号を生成する生成手段と、
前記搬送手段によって搬送される前記原稿のサイズを決定するサイズ決定手段と、
前記モータの回転速度と前記クロック信号の周期との組み合わせを定義する複数のテーブルを記憶する記憶手段と、
前記センサが前記原稿を読み始める前に前記原稿の読取解像度が確定した場合、前記記憶手段に記憶されている第１テーブルにしたがって前記モータの回転速度および前記クロック信号の周期を制御し、前記センサが前記原稿を読み始める前に前記原稿の読取解像度が確定しない場合、前記記憶手段に記憶されている第２テーブルにしたがって前記モータの回転速度および前記クロック信号の周期を制御する制御手段と
を有することを特徴とする読取装置。
【請求項１５】
原稿が載置されるトレイと、
前記トレイに載置された原稿を読取位置に搬送する搬送手段と、
前記搬送手段を駆動するモータと、
前記読取位置を通過する前記原稿を読み取るセンサと、
前記センサが前記原稿を読み取る読取間隔を制御するクロック信号を生成する生成手段と、
前記搬送手段によって搬送される前記原稿のサイズを決定するサイズ決定手段と、
前記センサが前記原稿を読み始める前に、前記原稿の読取解像度が確定した場合、前記確定した読取解像度に応じて前記モータの回転速度および前記クロック信号の周期を制御し、前記センサが前記原稿を読み始める前に、前記原稿の読取解像度が確定しない場合、前記原稿の幅に応じた複数の読取解像度のうちで最大の解像度に応じて前記クロック信号の周期を制御するとともに、前記サイズ決定手段により決定された前記原稿のサイズに応じた読取解像度で前記モータの回転速度を制御する制御手段と、
前記センサによる読み取り結果から生成された画像データに応じた画像をシートに形成する画像形成手段と、
を有することを特徴とする画像形成装置。
【請求項１６】
原稿が載置される載置手段と、
前記原稿を読取位置へ搬送する搬送手段と、
前記搬送手段を駆動する駆動手段と、
前記読取位置を通過する前記原稿を入力倍率に従って読み取る読取手段と、
前記読取手段が前記原稿を読み取る読取間隔を制御するクロック信号を生成する生成手段と、
前記読取手段により読み取られた前記原稿の画像データを記憶する画像記憶手段と、
前記画像記憶手段に記憶されている前記画像データを出力倍率に従って出力する出力手段と、
前記搬送手段、前記読取手段および前記出力手段を制御する制御手段と、
前記出力手段から出力された画像データに応じた画像をシートに形成する画像形成手段と、を有し
前記制御手段は、前記読取手段が前記原稿を読み取る前に前記原稿の出力倍率が確定した場合は前記原稿の入力倍率と前記原稿の出力倍率とを一致するように前記クロック信号の周期と前記駆動手段の回転速度を制御し、前記読取手段が前記原稿を読み取る前に前記原稿の出力倍率が確定しない場合、前記読取手段が対応可能な複数の入力倍率のうち相対的に大きな入力倍率で前記読取手段に前記原稿を読み取らせように前記クロック信号の周期と前記駆動手段の回転速度を制御し、前記読取手段が前記原稿を読み取っている間に前記原稿の出力倍率が確定すると、当該確定した出力倍率で前記出力手段に前記原稿の画像データを出力させる
ことを特徴とする画像形成装置。
【手続補正２】
【補正対象書類名】明細書
【補正対象項目名】０００６
【補正方法】変更
【補正の内容】
【０００６】
本発明によれば、
原稿が載置されるトレイと、
前記トレイに載置された原稿を読取位置に搬送する搬送手段と、
前記搬送手段を駆動するモータと、
前記読取位置を通過する前記原稿を読み取るセンサと、
前記センサが前記原稿を読み取る読取間隔を制御するクロック信号を生成する生成手段と、
前記搬送手段によって搬送される前記原稿のサイズを決定するサイズ決定手段と、
前記センサが前記原稿を読み始める前に、前記原稿の読取解像度が確定した場合、前記確定した読取解像度に応じて前記モータの回転速度および前記クロック信号の周期を制御し、前記センサが前記原稿を読み始める前に、前記原稿の読取解像度が確定しない場合、前記原稿の幅に応じた複数の読取解像度のうちで最大の解像度に応じて前記クロック信号の周期を制御するとともに、前記サイズ決定手段により決定された前記原稿のサイズに応じた読取解像度で前記モータの回転速度を制御する制御手段と
を有することを特徴とする読取装置が提供される。
【手続補正３】
【補正対象書類名】明細書
【補正対象項目名】００１３
【補正方法】変更
【補正の内容】
【００１３】
＜ＡＤＦ＞
ＡＤＦ１１０は、１枚以上の原稿Ｓを積載する原稿トレイ３０を有している。原稿トレイ３０には原稿Ｓの副走査方向の長さを検知する長さセンサ２２、２３が設けられていてもよい。なお、副走査方向は原稿トレイ３０に載置された原稿が搬送される搬送方向に対応する。給紙ローラ１は原稿Ｓを給紙するローラである。分離ローラ２と分離パッド２１は、給紙ローラ１により給紙された複数の原稿Ｓのうち、最も上に位置する原稿Ｓのみを分離して搬送する。トレイセンサ１４は、原稿トレイ３０に原稿Ｓが載置されているかどうかを検知する。引抜ローラ３は、分離ローラ２よりも原稿Ｓの搬送方向で下流に配置され、原稿Ｓを搬送する搬送ローラである。レジストローラ４は引抜ローラ３よりもさらに下流に配置され、原稿Ｓを搬送する搬送ローラである。なお、レジストローラ４は原稿Ｓの斜行を補正する。上流ローラ５はレジストローラ４のさらに下流に配置され、原稿Ｓを搬送する搬送ローラである。リードローラ６は上流ローラ５よりもさらに下流に配置され、原稿Ｓを搬送する搬送ローラである。原稿Ｓは、流し読みガラス１２１とリードローラ６との間（読取位置１２７）を通過する際に、画像センサ１２５によって読み取られる。下流ローラ７は流し読みガラス１２１よりも下流に配置され、原稿Ｓを排紙ローラ１２に搬送する。排紙ローラ１２は原稿Ｓを排紙トレイ１３に排出する。